(57)【特許請求の範囲】
【請求項１】
気化器本体を貫通する吸気路を摺動弁にて開閉制御するとともに摺動弁には、吸気路に開口するニードルジエット及びニードルジエットに連なる混合管内に挿入されるジエットニードルが装着される可変ベンチュリー式気化器において、
ニードルジエット８の下端８Ｃに間隙Ｓをもって混合管９を同芯に配置し、
混合管９の上端面９Ｂに、上端面９Ｂから混合管９の下方の中心に向かう複数の傾斜溝９Ｃを穿設し、
該傾斜溝９Ｃ内には、ボール１１を移動自在に配置するとともにボール１１の上面１１Ａ上に配置され透孔１２Ｂを有する押圧板１２をスプリング１３にてボール１１に向けて押圧し、
ボール１１をジエットニードル１４の外側面１４Ａに向けて弾性的に押圧付勢してなる可変ベンチュリー式気化器のジエットニードル保持装置。
【発明の詳細な説明】
【０００１】
【産業上の利用分野】
本発明は、気化器本体を貫通する吸気路を摺動弁にて開閉する可変ベンチュリー式気化器に関し、そのうち、吸気路内に開口して配置されるニードルジエット内に挿入されるジエットニードルの保持装置に関する。
【０００２】
【従来の技術】
ジエットニードルを摺動弁に保持する為のジエットニードル保持装置として実公昭５１−３１９３８号がある。
これは、気化器本体内の昇降自在の摺動弁に、その底部の透孔を介して下方に突出するジエットニードルを設けると共に、その下側にこれと協動するニードルジエットを備え、該透孔の上面を水平面に対して少し傾斜する受面に形成させ、ジエットニードルの頂部の突鍔を、上面のばねで押圧させて、該受面上に支承させたものである。
そして、ジエットニードルは、受面の傾斜の範囲において、その軸線を傾斜されてばねの作用により、ニードルジエットの内孔の一側面に当接されて保たれるもので、負圧の変動その他による揺動を可及的に阻止したものである。
【０００３】
【発明が解決しようとする課題】
かかる従来のジエットニードル保持装置によると、
ジエットニードルは、ニードルジエットの内側面にバネによって弾性的に押圧されて当接するものであり、摺動弁が吸気路を大きく開放した高開度時において、ジエットニードルはニードルジエットに５〜１５grの荷重で押圧され、摺動弁が吸気路をわずかに開放する低開度時において、ジエットニードルはニードルジエットに１５〜３０grの荷重で押圧される。
このようにジエットニードルがニードルジエットを押圧する荷重が摺動弁の開度によって変化するのは、ジエットニードルが支持される基部（透孔の上面に接するジエットニードルの部位）と、ジエットニードルの外側面とニードルジエットの内側面との当接点間の距離が摺動弁の開度によって変化することによる。
すなわち、摺動弁の高開度時において、この距離が大となり、摺動弁の低開度時においてこの距離が小となる為である。
【０００４】
一方、ジエットニードルがニードルジエットを押圧する荷重が適正荷重より大であると、ジエットニードルとニードルジエットとの摺動摩擦が増加して、摺動弁の作動抵抗が増加するばかりか、当接部における摺動摩耗を増大する。
又、ジエットニードルがニードルジエットを押圧する荷重が適正荷重より小であると、気化器に伝達される摺動あるいは吸気路内の脈動でジエットニードルが振動し、タタキ摩耗が生ずる。
【０００５】
以上によれば、ジエットニードルがニードルジエットを押圧する荷重を摺動弁の高開度時において適正にセットすると、摺動弁の低開度においてその押圧する荷重は強くなる。
又、ジエットニードルがニードルジエットを押圧する荷重を摺動弁の低開度時において適正にセットすると、摺動弁の高開度においてその押圧する荷重は弱くなる。
【０００６】
本発明になる可変ベンチュリー式気化器のジエットニードル保持装置は、かかる不具合に鑑み成されたもので、摺動弁の低開度域から高開度域に至る全開度域において、ジエットニードルを略一定の荷重にて中心に向けて押圧してセンタリング支持し、ジエットニードルをニードルジエットに極力当接しないようにした耐久性の秀れたジエットニードル保持装置を提供することを目的とする。
【０００７】
【課題を解決する為の手段】
上記目的を達成する為に、本発明になる可変ベンチュリー式気化器のジエットニードル保持装置は、気化器本体を貫通する吸気路を摺動弁にて開閉制御するとともに摺動弁には、吸気路に開口するニードルジエット及びニードルジエットに連なる混合管内に挿入されるジエットニードルが装着される可変ベンチュリー式気化器において、
ニードルジエットの下端に間隙をもって混合管を同芯に配置し、
混合管の上端面に、上端面から混合管の下方の中心に向かう複数の傾斜溝を穿設し、
該傾斜溝内には、ボールを移動自在に配置するとともにボールの上面上に配置され透孔を有する押圧板をスプリングにてボールに向けて押圧し、
ボールをジエットニードルの外側面に向けて弾性的に押圧付勢したことを特徴とする。
【０００８】
【作用】
ボールは混合管の上端面に穿設された傾斜溝内に移動自在に配置され、更にボールは押圧板を介してスプリングのバネ力を受けて混合管の下方の中心方向に向けて付勢される。
ジエットニードルの外側面は複数のボールによって中心方向に付勢されるので、ジエットニードルは、混合管内の中心にセンタリング配置され、これによってジエットニードルはニードルジエット内に同芯的に配置され、ジエットニードルの外側面がニードルジエットの内側面に当接することが抑止される。
【０００９】
【実施例】
以下、本発明になる可変ベンチュリー式気化器のジエットニードル保持装置の一実施例を図により説明する。
図１は可変ベンチュリー式気化器の縦断面図、図２は図１におけるニードルジエットとジエットニードル部分の要部拡大断面図、
図３は図２のＡ−Ａ線における要部横断面図である。
１は内部を吸気路２が側方に貫通した気化器本体であり、吸気路２の中間部に摺動弁３としての負圧作動弁が配置される。
この摺動弁３は受圧室Ｐ内に吸気路２内の負圧が導入され、この負圧の大きさに応じて吸気路２の開口面積が可変制御される。
尚、４は気化器本体１の下方に配置された浮子室本体であり、気化器本体１と浮子室本体４とによって浮子室５が形成され、この浮子室５内にはフロート６及び図示せぬフロートバルブ、バルブシートによって一定なる燃料液面Ｘ−Ｘが形成される。
気化器本体１より浮子室５内に向けて主燃料ボス１Ａが突出して形成され、この主燃料ボス１Ａの下端から吸気路２内に向けて主流路７が穿設される。
この主流路７の下端にはメネジ７Ａが形成されて浮子室５内へ開口し、上端は係止段部７Ｂを介して吸気路２内へ開口する。
【００１０】
８はニードルジエットであって計量孔としての内側面８Ａの上方は、拡大されて開口する。
９は、混合管であって、その中心には上下方向に貫通する流路９Ａが形成される。
この嵌合管９の上端面９Ｂには、上端面９Ｂから混合管９の下方の中心（図１において下方に向かうこと）に向かう傾斜溝９Ｃが形成されるもので、本実施例における傾斜溝９Ｃは互いに対向して２ケ所形成された。
傾斜溝９Ｃの外側は上端面９Ｂに開口し、内側は上端面９Ｂより下方位置にある流路９Ａに開口する。
【００１１】
そして主流路７内には以下の部品が組みこまれる。
主流路７の下方の開口からニードルジエット８が挿入され、ニードルジエット８の鍔部８Ｄは係止段部７Ｂ上に係止され、ニードルジエット８の上方は吸気路２内に突出して開口する。
そして、ニードルジエット８の下端８Ｃに間隙Ｓをもって混合管９がニードルジエット８と同芯に配置され、この混合管９の下方に主燃料ジエット１０が螺着されてそれらが固定される。
一方、混合管９の傾斜溝９Ｃ内にはボール１１が傾斜溝９Ｃに沿って移動自在に配置されるもので、このボール１１の上面１１Ａ上に、中央にジエットニードル挿通孔１２Ａが穿設されるとともに複数の透孔１２Ｂが穿設された押圧板１２が配置される。
前記押圧板１２のジエットニードル挿通孔１２Ａは後述するジエットニードルを挿通しうる通孔であり、透孔１２Ｂは押圧板１２の上下を貫通する貫通孔である。
本例において押圧板１２は、網で形成されているので網目が透孔１２Ｂに相当する。
そして、押圧板１２の上方にスプリング１３が縮設される。
すなわち主流路７には、その上方よりニードルジエット８、スプリング１３によって押圧された押圧板１２、ボール１１を備えた混合管９、主燃料ジエット１０が配置される。
そして、摺動弁３に装着されるジエットニードル１４は、ニードルジエット８の内側面８Ａ、押圧板１２のジエットニードル挿通孔１２Ａ、を通って混合管９の流路９Ａ内に挿入配置される。
【００１２】
以上によると、傾斜溝９Ｃ内に配置したボール１１はその上面１１Ａを、スプリング１３にて押圧される押圧板１２によって下方に弾性的に押圧されるので、ボール１１は傾斜溝９Ｃの傾斜に沿って斜め下方へ移動してジエットニードル１４の外側面１４Ａに当接する。
このときボール１１を対向して２個配置したので、ジエットニードル１４はボール１１によって対向して中心方向に押圧され、混合管９の流路９Ａ内にセンタリング配置される。
そして、前述の如く、混合管９とニードルジエット８とを同芯に配置したことにより、ジエットニードル１４はニードルジエット８の内側面８Ａ内に対してもセンタリング配置されることになる。
尚、ボール１１によってその一部が閉塞される混合管９の上端面９Ｂに開口する流路９Ａの開口面積及び押圧板１２に穿設された通孔１２Ｂの開口面積は、ジエットニードル１４の外側面１４Ａと、ニードルジエット８の内側面８Ａとによって形成される最大の環状間隙（これは摺動弁の全開時において形成される間隙に相当する。）に比して充分に大開口面積を有する。
【００１３】
次にその作用について説明する。
図１に示される摺動弁３の低開度時について説明する。
押圧板１２は、スプリング１３のバネ力によって下方に弾性的に押圧され、ボール１１の上面１１Ａは、この押圧板１２によって下方に弾性的に押圧される。
これによると、傾斜溝９Ｃ内にあるボール１１は傾斜溝９Ｃに沿って斜め下方に転動してジエットニードル１４の外側面１４Ａに当接する。
そして、このボール１１は対向して２個配置されたことによって、ジエットニードル１４の対向する外側面１４Ａ，１４Ａがボール１１，１１により、一定なる押圧荷重をもって保持される。
以上によると、ジエットニードル１４は混合管９の流路９Ａ内にセンタリング配置されることになり、このとき混合管９の流路９Ａに対してニードルジエット８の内側面８Ａが同芯に配置されたので、ジエットニードル１４はニードルジエット８の内側面８Ａに対してセンタリング保持される。
【００１４】
かかる摺動弁３の低開度時において、ジエットニードル１４は、気化器の振動あるいは吸気路２内に発生する脈動を受けて側方に振れたり、あるいはタタキ現象を生じたりするものであるが、前述の如くジエットニードル１４の外側面１４Ａが対向するボール１１，１１によって弾性的に押圧されていることから、ジエットニードル１４の振れ、タタキ現象の発生はない。
従って、ニードルジエット１４の内側面８Ａの摩耗を大きく低減できたものである。
【００１５】
尚、混合管９の流路９Ａ内の燃料（混合気）は、流路９Ａとジエットニードル１４の外側面１４Ａとによって形成される環状の間隙、押圧板１２の透孔１２Ｂを通ってニードルジエット８に向かって流れ、ジエットニードル１４の外側面１４Ａとニードルジエット８の内側面８Ａによってその量が制御され、この制御された燃料がニードルジエット８の上部から吸気路２内に吸出される。
【００１６】
そして、かかる摺動弁３の低開度時から、吸気路２を大きく開放する摺動弁３の高開度移行時において、ジエットニードル１４は摺動弁３と同期して上方へ移動する。
かかる際において、ボール１１は押圧板１２によって常に下方へ押圧されるので、ジエットニードル１４の外側面１４Ａを常に押圧した状態で傾斜溝９Ｃ内で転動する。
従ってかかる摺動弁３の開放移行時にあってもジエットニードル１４は、混合管９の流路９Ａ及びニードルジエット８の内側面８Ａに対して常にセンタリング保持される。
【００１７】
そして摺動弁３の高開度時において、ボール１１は、下端にいくに従ってその直径が減少するジエットニードル１４のテーパ部１４Ｂに当接することになり、ジエットニードル１４の直径が減少した分、ボール１１は内方へ移動してジエットニードル１４のテーパ部１４Ｂに当接し、もってジエットニードル１４を混合管９の流路９Ａ及びニードルジエット８の内側面８Ａに対してセンタリング保持する。
【００１８】
このとき、ボール１１の傾斜溝９Ｃ内にあって、そのテーパ部１４Ｂによる直径の減少に相当して下方へ移動することになるが、ジエットニードル１４のテーパ部１４Ｂのテーパ角が極めて小（例えば３度）であることより、その下方への移動量は極めて小なるものである。
従って、スプリング１３によって、ボール１１がジエットニードル１４のテーパ部１４Ｂを押圧する荷重は、ほとんど変化するものでなく、摺動弁３の低開度時における押圧荷重とほぼ同一なる荷重をもってボール１１がジエットニードル１４のテーパ部１４Ｂ（外側面１４Ａ）を押圧する。
【００１９】
以上によると、摺動弁３の高開度時において、ジエットニードル１４は、摺動弁３の低開度時とほぼ同一なる押圧荷重をもってニードルジエット８の内側面８Ａに対してセンタリング保持されるので、ニードルジエット８の内側面８Ａにおける摩耗を大きく低減できたものである。
【００２０】
尚、本実施例における摺動弁は定真空式気化器における負圧作動弁としたが、機械的に吸気路の面積を制御する摺動絞り弁型気化器の摺動絞り弁であってもよい。
又、ボールは対向して２個配置したが円周方向において均等に配置されればよい。
例えば１２０度間隔で３個配置する。
【００２１】
【発明の効果】
以上の如く、本発明になる可変ベンチュリー式気化器のジエットニードル保持装置によると、
混合管の上端面に、混合管の中心に向かう複数の傾斜溝を設け、傾斜溝内にボールが移動自在に配置され、ボールの上面をスプリングで押圧される押圧板にて押圧したので、ジエットニードルをニードルジエットに対してセンタリング保持することができたので、ジエットニードルがニードルジエットに当接することなく耐久性の秀れたジエットニードル保持装置を提供できる。
又、ボールによるジエットニードルに対する押圧荷重を摺動弁の全開度域においてほぼ同一なる適正荷重をもって押圧できたので、そのセンタリングを気化器の振動、吸気路内の脈動圧に影響されることなく確実に行なうことができたものである。
これによって摺動弁の全開度域における耐久性の秀れたジエットニードル保持装置を提供できる。
【図面の簡単な説明】
【図１】本発明になる可変ベンチュリー式気化器のジエットニードル保持装置の一実施例を示す縦断面図。
【図２】図１におけるニードルジエット、混合管、を示す要部拡大縦断面図。
【図３】図２のＡ−Ａ線における要部横断面図。
【符号の説明】
８        ニードルジエット
８Ｃ      ニードルジエットの下端
９        混合管
９Ｂ      混合管の上端面
９Ｃ      傾斜溝
１１      ボール
１１Ａ    ボールの上面
１２      押圧板
１２Ｂ    押圧板の透孔
１３      スプリング
１４      ジエットニードル
１４Ａ    ジエットニードルの外側面
【図１】
0003826365.tif 000002
【図２】
0003826365.tif 000003
【図３】
0003826365.tif 000004